(57)【要約】【課題】  引出し内の収納スペースの分割可能数を高めると共に分割した収納スペースの形状維持を可能にして使い勝手を向上できる引出し用仕切り具を提供する。【解決手段】  所定間隔Ａをあけて略平行に並設した一対の仕切り部２を一体に形成する。引出し３の周壁３ａの上縁に被せるように引掛け係止させる係止部４を上記仕切り部２の長手方向の少なくとも一端部に形成する。【選択図】        図１
2005143575.tif 000002
【特許請求の範囲】
【請求項１】
所定間隔をあけて略平行に並設した一対の仕切り部を一体に形成し、引出しの周壁の上縁に被せるように引掛け係止させる係止部を上記仕切り部の長手方向の少なくとも一端部に形成したことを特徴とする引出し用仕切り具。
【請求項２】
一対の仕切り部を構成する一対の仕切り棒を所定間隔をあけて略平行且つ略水平に並設し、この一対の仕切り棒の長さ方向の一端部から側面視逆Ｕ字状の係止部を延出し、一対の仕切り棒の長さ方向の他端部から下方に垂下せる棒状の脚部を延出し、この一対の脚部の下端同士を直線状の連結棒で連結して連結部を形成し、係止部を引出しの周壁に引掛け係止させたとき連結部を一対の仕切り部の間の所定間隔に亙って引出しの底板上に載置可能にしたことを特徴とする請求項１記載の引出し用仕切り具。
【請求項３】
一対の仕切り部の間の所定間隔を略８０ｍｍに形成したことを特徴とする請求項１または２記載の引出し用仕切り具。
【発明の詳細な説明】
【技術分野】
【０００１】
本発明は、引出し内の収納スペースを仕切る引出し用仕切り具に関するものである。
【背景技術】
【０００２】
従来から、引出し内の収納スペースを仕切る引出し用仕切り具としては、一般に、１枚の垂直面材で構成した仕切り部を有し、この仕切り部の長さ方向の端部に係止部を備えてなるものが知られている。この引出し用仕切り具は、係止部を引出しの周壁上縁に上から被せるようにして引掛け係止させ、引出しの周壁から内方に向けて仕切り部を突出させるように配置して使用されるのであり、引出し内の内部スペースを仕切り部を境に２つに仕切ることができるのである（例えば、特許文献１参照）。
【０００３】
しかしながら、このような引出し用仕切り具では、上記のように引出し内の収納スペースを２分することしかできず、更に数多く引出し内の収納スペースを仕切ろうとするときには、仕切る数に合わせて多数の引出し用仕切り具を引出し内に配置しなければならないといった使い勝手の悪さが指摘されている。また、２つの引出し用仕切り具の仕切り部同士を所定間隔あけて並べるように引出し内に２つの引出し用仕切り具を配置し、２つの引出し用仕切り具の仕切り部の間に比較的幅の狭い収納スペースを形成することも一般に良く行われるが、一対の仕切り部間の収納スペースへの収納物の出し入れの際には、収納物がいずれかの仕切り部に擦るように当たってしまうこともある。この場合、この引出し用仕切り具はそれぞれ独立して引出しの周壁に係止されることから、出し入れする収納物に当った仕切り部を有する引出し用仕切り具だけが当接の衝撃によって所定の配置位置からズレてしまうこともあり、一対の仕切り部間の収納スペースを所定形状に維持できないといった使い勝手の悪さも指摘されていた。
【特許文献１】特開平７−１８６５８６号公報
【発明の開示】
【発明が解決しようとする課題】
【０００４】
本発明は上記の従来の問題点に鑑みて発明したものであって、引出し内の収納スペースの分割可能数を高めると共に分割した収納スペースの形状維持を可能にして使い勝手を向上できる引出し用仕切り具を提供することを課題とするものである。
【課題を解決するための手段】
【０００５】
上記課題を解決するために本発明の請求項１に係る引出し用仕切り具１は、所定間隔Ａをあけて略平行に並設した一対の仕切り部２を一体に形成し、引出し３の周壁３ａの上縁に被せるように引掛け係止させる係止部４を上記仕切り部２の長手方向の少なくとも一端部に形成したことを特徴とする。
【０００６】
これによると、引出し３の周壁３ａの上縁に係止部４を被せるように引掛け係止させて引出し３内に引出し用仕切り具１を配置したときには、引出し用仕切り具１の一対の仕切り部２によって引出し３内の収納スペースは３分割されるのであり、特に所定間隔Ａをあけて並設した一対の仕切り部２の間には所定幅の収納スペースが形成され、そして一対の仕切り部２は一体に形成されたことでこの所定幅の収納スペースの形状は確実に維持される。つまり、この引出し用仕切り具１によると、１枚の垂直面材である仕切り部２を有する従来の引出し用仕切り具１に比べ、引出し３内の収納スペースの分割数が増えて使い勝手の向上が図られているのであり、また、一対の仕切り部２間の収納スペースへの収納物の出し入れの際に収納物が仕切り部２に当たってしまっても、仕切り部２の位置がズレることはなくて一対の仕切り部２間の収納スペースはその形状が維持されるので、この点でも使い勝手の向上が図られている。
【０００７】
また、請求項２に係る引出し用仕切り具１は、請求項１において、一対の仕切り部２を構成する一対の仕切り棒５を所定間隔Ａをあけて略平行且つ略水平に並設し、この一対の仕切り棒５の長さ方向の一端部から側面視逆Ｕ字状の係止部４を延出し、一対の仕切り棒５の長さ方向の他端部から下方に垂下せる棒状の脚部６を延出し、この一対の脚部６の下端同士を直線状の連結棒７で連結して連結部８を形成し、係止部４を引出し３の周壁３ａに引掛け係止させたとき連結部８を一対の仕切り部２の間の所定間隔Ａに亙って引出し３の底板３ｂ上に載置可能にしたことを特徴とする。
【０００８】
これによると、引出し用仕切り具１を構成する仕切り部２、係止部４及び脚部６は仕切り棒５の曲げ加工にて形成され且つ連結部８は仕切り棒５に連結する連結棒７にて形成されるのであるが、この仕切り棒５及び連結棒７は一本の線材にて構成可能であり、つまり引出し用仕切り具１は一本の線材にて構成させることができるので、引出し用仕切り具１を簡単に製造させることができるのであり、また、この引出し用仕切り具１を引出し３内に配置したときには、仕切り部２の長手方向の両端において、一対の係止部４が一対の仕切り部２の並設方向に所定間隔Ａをあけて引出し３の周壁３ａにそれぞれ引掛け係止され且つ連結部８が一対の仕切り部２の間の所定間隔Ａに亙って引出し３の底板３ｂ上に連続的に載置される（線接触する）ので、特に一対の仕切り部２の並設方向におけるがたつきを回避できて引出し用仕切り具１の安定した配置を確保できるのである。
【０００９】
また、請求項３に係る引出し用仕切り具１は、請求項１または２において、一対の仕切り部２の間の所定間隔Ａを略８０ｍｍに形成したことを特徴とする。これによると、一対の仕切り部２の間の収納スペースを化粧品のボトル２０やチューブ２１などの収納物の収納に適した幅にできる。つまり、化粧品のボトル２０やチューブ２１などの収納物は洗面化粧台９の引出し３に収納されるのが多いことから、洗面化粧台９の引出し３に適した用途を引出し用仕切り具１に備えることができる。
【発明の効果】
【００１０】
本発明の引出し用仕切り具は、一対の仕切り部にて引出し内の収納スペースを３分割できて、１つの仕切り部を有する従来の引出し用仕切り具に比べ、引出し内の収納スペースの分割数が増えて使い勝手の向上が図られているのであり、また、一対の仕切り部が一体に形成されていることで一対の仕切り部間の収納スペースの形状を維持でき、一対の仕切り部の間の収納スペースに収納物を出し入れする際に収納物が仕切り部に当たってしまっても仕切り部の位置ズレを無くすることができて使い勝手の向上が図られている。
【発明を実施するための最良の形態】
【００１１】
以下、本発明を添付図面に示す実施形態に基いて説明する。本例の引出し用仕切り具１は引出し３内に配置して引出し３内の収納スペースを小分けして小物の収納物を整頓して収納できるようにした器具であり、特に洗面化粧台９の引出し３に好適に用いられて洗面化粧台９で使用される化粧品のボトル２０やチューブ２１などを整頓して収納しようとするものである。
【００１２】
図１のように、洗面化粧台９は上面に洗面ボウル１０を有する洗面台１１を有し、前面に鏡１２を添着した立壁１３を洗面台１１の後方から上方に立設して構成されている。図示はしないが立壁１３の上縁には洗面台１１の前に立つ使用者や洗面台１１の上面を照らす照明が設けられている。洗面台１１の洗面ボウル１０は上方に開口するボウルであり、ボウル内の側面部にはボウル内に一定以上の湯水が溜まらないように排水する副排水孔１４が設けられており、ボウル内の底部には使用した湯水を流す主排水孔１５が設けられている。洗面台１１の洗面ボウル１０の後縁部分には洗面ボウル１０に湯水を供給する混合水栓が配置してある。本例の混合水栓は、シャワー水への切替を可能にして給水する給水具１６や給水具１６での給水の温度や水量を操作する操作具１７を有し、この給水具１６及び操作具１７が洗面台１１の上面の洗面ボウル１０の後縁部分に立設されている。なお、図中１８は主排水孔１５の孔の開閉を操作する操作具である。この混合水栓には建物内に配管した給水管や給湯管が接続されており、また洗面ボウル１０の主排水孔１５及び副排水孔１４は排水トラップを有した排水管に連通されている。この給水管、給湯管及び排水管などは洗面台１１における洗面ボウル１０の下方のスペースに配設されている。この洗面台１１における洗面ボウル１０の下方のスペースは一般に収納スペースとしても使用されることから、詳しくは排水管等は洗面ボウル１０の下方のスペースのうち後方部分に配設されている。
【００１３】
ところで、洗面台１１の前面には一般に観音開き状の扉が設けられ、この扉の前後への開閉によって洗面ボウル１０の下方の収納スペースへの収納物の出し入れがなされていたが、近年では本例の図１の洗面台１１のように、収納の行い易さなど使い勝手の向上の為にこの収納スペースに引出し３を配設することも行われている。つまり、洗面台１１における洗面ボウル１０の下方のスペースに引出し３を配設してこの引出し３内に収納スペースを設けたことで、洗面台１１における洗面ボウル１０の下方のスペースから引出し３を引き出して収納物を出し入れできることから、観音開き状の扉を設けた洗面台１１に比べて奥方への収納物の出し入れが行い易く、しかも出し入れ作業が洗面化粧台９の照明の下の明るい環境で行えるのであり、収納物の出し入れにかかる使い勝手が向上しているのである。なお、引出し３は一般に底板３ｂの周縁に周壁３ａを立設させ、底板３ｂ及び周壁３ａで囲まれた部位を上方に開口せる収納スペースとするものであるが、洗面ボウル１０の下方の収納スペースに配設した引出し３の後部には前方に凹没した切欠部１９が形成されている。この切欠部１９は洗面台１１における洗面ボウル１０の下方のスペースに引出し３を閉めたときに排水管等を位置させる部位である。
【００１４】
上記のような洗面化粧台９の引出し３内に好適に配置される本例の引出し用仕切り具１は、図３に示すように、一対の仕切り部２を構成する一対の仕切り棒５を所定間隔Ａをあけて略平行且つ略水平に並設し、この一対の仕切り棒５の長さ方向の一端部から係止部４を延出し、一対の仕切り棒５の長さ方向の他端部から下方に垂下せる棒状の脚部６を延出し、この一対の脚部６の下端同士を直線状の連結棒７で連結して連結部８を形成し、構成されている。詳しくは、一対の仕切り棒５は長さ方向の端部で連結棒７で連結されているから、一対の仕切り部２は所定間隔Ａをあけて一体に形成されている。また、一対の仕切り部２で挟まれた空間は収納スペースとして用いられる上下方向に開口する空間である。なお、一対の仕切り部２の間の所定間隔Ａは適宜の間隔寸法に設定可能であるが、本例では上記一対の仕切り部２の間の所定間隔Ａは、洗面台１１で使用される化粧品のボトル２０やチューブ２１などの収納物の収納に適したおよそ８０ｍｍに形成してある。また、係止部４は、引出し３の周壁３ａの上縁に被せるように引掛け係止させる部位であって、具体的には側面視逆Ｕ字状に形成されている。また、連結部８は、係止部４を引出し３の周壁３ａに引掛け係止させたとき、一対の仕切り部２の間の所定間隔Ａに亙って引出し３の底板３ｂ上に載置可能にされている（連結部８が引出し３の底板３ｂ上に所定間隔Ａに亙る線接触状態で載置される）。つまり、脚部６の高さ寸法Ｂは周壁３ａの高さ寸法ｂと略同寸法に形成されている。また、本例では、連続する棒状部材である仕切り棒５と連結棒７とは一本の線材にて構成されており、つまり本例の引出し用仕切り具１は一本の線材を適宜折曲げ加工して形成されている。なお、この材料となる一本の線材にはたとえばステンレス製の線材が好適に用いられる。
【００１５】
そして、図１にはこの引出し用仕切り具１を洗面化粧台９の引出し３内に配置した状態の斜視図を示している。引出し用仕切り具１を引出し３内に配置するには、引出し３の周壁３ａの上縁に一対の係止部４を被せるようにそれぞれ引掛け係止させ、連結部８を一対の仕切り部２の間の所定間隔Ａに亙って引出し３の底板３ｂ上に載置させて行われる。このように引出し用仕切り具１を引出し３内に配置した状態では、引出し用仕切り具１の左右のスペース及び一対の仕切り部２の間のスペースの３つのスペースに引出し３内の収納スペースが分けられる。ここで、引出し用仕切り具１の左右方向は一対の仕切り部２の並設方向と同じである。つまり、背景技術で挙げた１つの仕切り部２を有する引出し用仕切り具１に比べ、本例の引出し用仕切り具１は引出し３内の収納スペースの分割数が増えて使い勝手の向上が図られているのである。なお、引出し用仕切り具１の一対の仕切り部２は一体に形成されているので、一対の仕切り部２間の収納スペースの形状は強固に維持されるのは言うまでもない。したがって、一対の仕切り部２間の収納スペースに収納物を出し入れする際にこの収納物が仕切り部２に当たってしまっても、一対の仕切り部２の相対位置がズレることはなくて収納物の一対の仕切り部２間の収納スペースへの出し入れに支障をきたすことはなく、この点でも背景技術で挙げた引出し用仕切り具１に比べ、本例の引出し用仕切り具１は使い勝手の向上が図られている。また、引出し用仕切り具１を引出し３内に配置した状態では、仕切り部２の長手方向の両端において、一対の係止部４が一対の仕切り部２の並設方向に所定間隔Ａをあけて引出し３の周壁３ａにそれぞれ引掛け係止され、連結部８が一対の仕切り部２の間の所定間隔Ａに亙って引出し３の底板３ｂ上に連続的に載置されている（線接触している）ので、特に一対の仕切り部２の並設方向におけるがたつきを回避できて引出し用仕切り具１の安定した配置が確保されているのである。
【００１６】
更に言うと、図１の引出し用仕切り具１を引出し３内に配置した状態では、切欠部１９を縁取る周壁３ａのうち前方に面する部位の上縁に係止部４を引掛け係止させ、仕切り部２の長手方向を引出し３の前後方向と一致させ、連結部８を引出し３の底板３ｂの前縁付近で底板３ｂの前縁に沿って立設する周壁３ａの内面に沿わせるように載置させて行われている。つまり、底板３ｂの前縁に立設する周壁３ａの内面と切欠部１９を縁取る周壁３ａの前面との間の隙間寸法ｃに対して仕切り部２の長手寸法Ｃが略同寸法に形成されており、対向する底板３ｂの前縁に立設する周壁３ａの内面と切欠部１９を縁取る周壁３ａの前面との間に仕切り部２がその長手方向にほとんど隙間無く収まるようにされている。これによると、引出し用仕切り具１によって引出し３内の収納スペースが完全に３分割されるのであり、また、１対の仕切り部２の間への収納物の出し入れの際に収納物が仕切り部２に当ったり等、引出し用仕切り具１に何らかの外力がかかっても、対向する底板３ｂの前縁に立設する周壁３ａの内面と切欠部１９を縁取る周壁３ａの前面との間に引出し用仕切り具１が引っ掛かり、引出し用仕切り具１の位置ずれが生じにくくなっているのである。
【００１７】
図２には、引出し用仕切り具１を用いて行う洗面化粧台９の引出し３の収納例（上面図）を示している。この収納例では、切欠部１９を縁取る周壁３ａうち前方に面する部位に間隔Ｄを隔てて２つの引出し用仕切り具１を並べて配置し、これら引出し用仕切り具１によって分けられた引出し３内の個々の収納スペースにその形状に合った適宜の収納物を配置している。詳しくは、引出し３内の収納スペースは、引出し用仕切り具１及び切欠部１９にて左右に大きく２つに分けられており、左側のスペースにはタオルなどの繊維品２２を前後に並べて収納してあり、右側のスペースにはティッシュペーパーなどの日用品２３を収納している。上述したように引出し用仕切り具１の１対の仕切り部２間の所定間隔Ａは洗面台１１で使用される化粧品のボトル２０やチューブ２１などの収納物の収納に適したおよそ８０ｍｍに形成してあるので、それぞれの引出し用仕切り具１の１対の仕切り部２間の収納スペースには化粧品のボトル２０やチューブ２１などの収納物を収納している。また、本例の並設した２つの引出し用仕切り具１の間の間隔Ｄもおよそ８０ｍｍ程度にしてあり、この並設した２つの引出し用仕切り具１の間の収納スペースにも化粧品のボトル２０やチューブ２１などの収納物を収納している。
【００１８】
このように引出し用仕切り具１の一対の仕切り部２の間の所定間隔Ａを略８０ｍｍに形成したことによって、一対の仕切り部２の間の収納スペースを化粧品のボトル２０やチューブ２１などの収納物の収納に適した幅にできるのである。換言すると、化粧品のボトル２０やチューブ２１などの収納物は洗面化粧台９の引出し３に収納されるのが多いことから、洗面化粧台９の引出し３に適した用途が引出し用仕切り具１には備えられていると言える。また、この図２の引出し３への引出し用仕切り具１の配置構造も、図１と同様に、対向する底板３ｂの前縁に立設する周壁３ａの内面と切欠部１９を縁取る周壁３ａの前面との間に引出し用仕切り具１の仕切り部２がその長手方向にほとんど隙間無く収まるようにされているから、この並設した２つの引出し用仕切り具１の間の収納スペースに収納物を出し入れする際に収納物が引出し用仕切り具１に当ってしまっても、上述したように引出し用仕切り具１の位置ずれは生じにくくなっており、並設した２つの引出し用仕切り具１の間の収納スペースへの収納物の出し入れに支障をきたすことがないようにされているのである。
【００１９】
また、上記引出し用仕切り具１の使用にあっては、図４（ａ）のように、引出し３の周壁３ａの任意の部位に係止部４を引掛けることができるから、引出し３内の収納状態に適した任意の位置に配置することができるのは言うまでもなく、また、図４（ｂ）のように、洗面化粧台９の引出し３にかかわらず各種キャビネットの引出し３´にも配置できるのは言うまでもない。
【図面の簡単な説明】
【００２０】
【図１】本発明の実施の形態の例の引出し仕切り具を洗面化粧台の引出しに配置した状態の斜視図である。
【図２】同上の引出し仕切り具を用いて行う洗面化粧台の引出し内の収納例を示す上面図である。
【図３】同上の引出し仕切り具の斜視図である。
【図４】同上の引出し仕切り具の使用例であって、（ａ）は一例を示す上面図であり、（ｂ）は他の例を示す斜視図である。
【符号の説明】
【００２１】
１  引出し用仕切り具
２  仕切り部
３  引出し
３ａ  周壁
３ｂ  底板
４  係止部
５  仕切り棒
６  脚部
７  連結棒
８  連結部
９  洗面化粧台
１９  切欠部
２０  ボトル
２１  チューブ
Ａ  所定間隔
【図１】
2005143575.tif 000003
【図２】
2005143575.tif 000004
【図３】
2005143575.tif 000005
【図４】
2005143575.tif 000006